(57)【要約】      （修正有）【課題】使用開始時や使用中に無意識に無駄な湯を浪費することが無く、省エネが図れる混合栓を提供する。【解決手段】湯水混合栓を全閉可能なシングルレバー８の閉方向側の側面に、側面が対向する湯水混合栓本体の閉側対向部に当接する閉側当接部を備えるとともに、湯水混合栓本体の閉側対向部に、閉側当接部が当接することで可動弁体９が固定弁体１１の水流入弁口及び湯流入弁口を閉鎖する全閉位置に摺動されることを阻止する全閉阻止用対向部と、可動弁体９が全閉位置に摺動されることが可能な全閉阻止用対向部より凹んでいる全閉可能対向部とを備える。【選択図】図１−１
2016113856.tif 000002
【特許請求の範囲】
【請求項１】
湯水混合栓本体に設けられた固定弁体の上面に重合配置され摺動可能な可動弁体を、シングルレバーの水平・上下回動によって水平回動・前後進させて、湯水混合比と吐出量とを調節する湯水混合栓であって；
水流入部、湯流入部、及び、吐出部が備えられた湯水混合栓本体と、
前記湯水混合栓本体の水流入部に連通する水流入弁口と湯流入部に連通する湯流入弁口とが備えられ、該湯水混合栓本体の内部に設けられた固定弁体と、
前記固定弁体の上面に摺動可能に重合配置され、水平回動されたときに前記の水流入弁口と湯流入弁口の開口面積比を変化させて湯水混合比を調節し、前後進されたときに該水流入弁口と該湯流入弁口の開口面積を変化させて吐出量の調節をする可動弁体と、
前記湯水混合栓本体の内部に水平回動可能に設けられ、前記固定弁体とで前記可動弁体を挟持する水平回動ホルダーと、
前記水平回動ホルダーの内部に水平に設けられた回動軸と、
前記回動軸に設けられ、上下回動されたときに前記可動弁体を前後進させるとともに水平回動されたときに該可動弁体を水平回動させる突起部が下部に備えられた作動体と、
前記作動体の上部に設けられ、該作動体を介して前記可動弁体を摺動させ、水平回動によって湯水混合比を調節し、上下回動によって吐出量の調節をするシングルレバーと、
を含み；
前記シングルレバーの閉方向側の側面、該シングルレバーによって上下回動する前記作動体の閉方向側の側面、又は、該作動体によって前後進する前記可動弁体の閉方向側の側面の何れかの側面に、該側面が対向する前記湯水混合栓本体の閉側対向部に当接する閉側当接部を備えるとともに；
前記湯水混合栓本体の閉側対向部に、前記閉側当接部が当接することで前記可動弁体が前記固定弁体の水流入弁口及び湯流入弁口を閉鎖する全閉位置に摺動されることを阻止する全閉阻止用対向部と、該可動弁体が該全閉位置に摺動されることが可能な該全閉阻止用対向部より凹んでいる全閉可能対向部とを備えていることを
特徴とする湯水混合栓。
【請求項２】
前記全閉可能対向部が、前記湯水混合栓本体の閉側対向部の水のみを吐出可能な位置に限定して備えられていることを特徴とする請求項１記載の湯水混合栓。
【請求項３】
前記全閉阻止用対向部が、前記湯水混合栓本体の閉側対向部の湯のみを吐出可能な位置に備えられていることを特徴とする請求項１又は２記載の湯水混合栓。
【請求項４】
前記全閉阻止用対向部が、前記湯水混合栓本体に上下動可能に又は水平回動可能に、設けられていることを特徴とする請求項１、２、又は、３記載の湯水混合栓。
【請求項５】
前記閉側当接部の当接部位が、弾性により進退動することを特徴とする請求項１、２、３、又は、４記載の湯水混合栓。
【請求項６】
前記シングルレバーの閉方向側の側面又は前記作動体の閉方向側の側面の何れか一方の側面に設けられた閉側当接部の突出長が調節可能であることを特徴とする請求項１、２、３、４、又は、５記載の湯水混合栓。
【請求項７】
前記シングルレバーの開方向側の側面、前記作動体の開方向側の側面、又は、前記可動弁体の開方向側の側面の何れかの側面に、該側面が対向する前記湯水混合栓本体の開側対向部に当接する開側当接部が設けられ、該開側当接部の当接部位が弾性により進退動することを特徴とする請求項１、２、３、４、５、又は、６記載の湯水混合栓。
【請求項８】
前記シングルレバーの開方向側の側面又は前記作動体の開方向側の側面の何れか一方の側面に設けられた開側当接部の突出長が調節可能であることを特徴とする請求項１、２、３、４、５、６、又は、７記載の湯水混合栓。
【発明の詳細な説明】
【技術分野】
【０００１】
本発明は、シングルレバーの水平・上下回動によって湯水混合比と吐出量とを調節するシングルレバー式湯水混合栓に関する。
【背景技術】
【０００２】
シングルレバー式湯水混合栓は、湯水混合栓本体に設けられた固定弁体の上面に重合配置され摺動可能な可動弁体を、シングルレバーの水平・上下回動によって水平回動・前後進させて湯水混合比と吐出量とを調節する湯水混合栓であり、操作が容易であるため各種のシングルレバー式湯水混合栓が多用されている。
しかし、使用者がシングルレバーの水平回動位置を無意識に操作し易い中央位置にする場合も多く、使用開始時等に湯水混合位置で使用し、湯を無意識に浪費し易い欠点がある。
この欠点に対しては、特許文献１〜２に、固定弁体の水流入弁口・湯流入弁口と可動弁体の湯水調節弁口の形状を変更し、閉止時のシングルレバーが中央位置にあっても次の使用開始時には水が最初に吐出される構造が提案されているが、湯水混合比の調節角度範囲が従来の構造より小さくなるため湯水混合比を調節し難くなったり、弁口面積が小さくなるため十分な吐出量を確保し難くなったり、弁口面積・配置の偏りによる可動弁体等への偏った押圧力が発生するため摺動摩耗の偏りによる漏水等の新たな欠点がある。
また、特許文献３〜４に、シングルレバーの開方向の回動角度を制限することによって吐出量を一時的に少量に抑える節水モード機能を付加する提案があるが、通常使用モードから節水モードへ切替するにも節水モードから通常使用モードへ切替するにも、何らかの切替操作が必要な欠点がある。
【先行技術文献】
【特許文献】
【０００３】
【特許文献１】特許 第3200540号公報      シングルレバー式湯水混合栓
【特許文献２】特開2012-132484号公報     シングルレバー混合栓
【特許文献３】特開平11-124888号公報    シングルレバー混合栓
【特許文献４】特開平11-152772号公報    シングルレバー混合栓
【発明の概要】
【発明が解決しようとする課題】
【０００４】
本発明は、使用者に常に湯水混合比を意識させるとともに、従来通り湯水混合比の調節が容易であり、切替操作無で通常モードと少量吐出量の節水モードとを切替出来、無駄な湯を浪費しない省エネ型のシングルレバー式湯水混合栓を提供することを目的とする。
【課題を解決するための手段】
【０００５】
これらの課題を解決するために成した第一の発明は、
湯水混合栓本体に設けられた固定弁体の上面に重合配置され摺動可能な可動弁体を、シングルレバーの水平・上下回動によって水平回動・前後進させて、湯水混合比と吐出量とを調節する湯水混合栓であって；
水流入部、湯流入部、及び、吐出部が備えられた湯水混合栓本体と、
前記湯水混合栓本体の水流入部に連通する水流入弁口と湯流入部に連通する湯流入弁口とが備えられ、該湯水混合栓本体の内部に設けられた固定弁体と、
前記固定弁体の上面に摺動可能に重合配置され、水平回動されたときに前記の水流入弁口と湯流入弁口の開口面積比を変化させて湯水混合比を調節し、前後進されたときに該水流入弁口と該湯流入弁口の開口面積を変化させて吐出量の調節をする可動弁体と、
前記湯水混合栓本体の内部に水平回動可能に設けられ、前記固定弁体とで前記可動弁体を挟持する水平回動ホルダーと、
前記水平回動ホルダーの内部に水平に設けられた回動軸と、
前記回動軸に設けられ、上下回動されたときに前記可動弁体を前後進させるとともに水平回動されたときに該可動弁体を水平回動させる突起部が下部に備えられた作動体と、
前記作動体の上部に設けられ、該作動体を介して前記可動弁体を摺動させ、水平回動によって湯水混合比を調節し、上下回動によって吐出量の調節をするシングルレバーと、
を含み；
前記シングルレバーの閉方向側の側面、該シングルレバーによって上下回動する前記作動体の閉方向側の側面、又は、該作動体によって前後進する前記可動弁体の閉方向側の側面の何れかの側面に、該側面が対向する前記湯水混合栓本体の閉側対向部に当接する閉側当接部を備えるとともに；
前記湯水混合栓本体の閉側対向部に、前記閉側当接部が当接することで前記可動弁体が前記固定弁体の水流入弁口及び湯流入弁口を閉鎖する全閉位置に摺動されることを阻止する全閉阻止用対向部と、該可動弁体が該全閉位置に摺動されることが可能な該全閉阻止用対向部より凹んでいる全閉可能対向部とを備えていることを
特徴とする湯水混合栓である。
【０００６】
第二の発明は、
前記全閉可能対向部が、前記湯水混合栓本体の閉側対向部の水のみを吐出可能な位置に限定して備えられていることを特徴とする。
【０００７】
第三の発明は、
前記全閉阻止用対向部が、前記湯水混合栓本体の閉側対向部の湯のみを吐出可能な位置に備えられていることを特徴とする。
【０００８】
第四の発明は、
前記全閉阻止用対向部が、前記湯水混合栓本体に上下動可能に又は水平回動可能に、設けられていることを特徴とする。
【０００９】
第五の発明は、
前記閉側当接部の当接部位が、弾性により進退動することを特徴とする。
【００１０】
第六の発明は、
前記シングルレバーの閉方向側の側面又は前記作動体の閉方向側の側面の何れか一方の側面に設けられた閉側当接部の突出長が調節可能であることを特徴とする。
【００１１】
第七の発明は、
前記シングルレバーの開方向側の側面、前記作動体の開方向側の側面、又は、前記可動弁体の開方向側の側面の何れかの側面に、該側面が対向する前記湯水混合栓本体の開側対向部に当接する開側当接部が設けられ、該開側当接部の当接部位が弾性により進退動することを特徴とする。
【００１２】
第八の発明は、
前記シングルレバーの開方向側の側面又は前記作動体の開方向側の側面の何れか一方の側面に設けられた開側当接部の突出長が調節可能であることを特徴とする。
【発明の効果】
【００１３】
第一〜第四の発明によれば、下記の効果がある。
（１）本発明の湯水混合栓は、全閉可能な水平回動位置が、予め設定された湯水混合比に対応する全閉可能対向部によって限定されている。従って、本発明の湯水混合栓を全閉するには、シングルレバーの水平回動位置をこの混合比の湯水を吐出する水平回動位置に設定せざるを得ず、湯水混合比を常に意識するので、シングルレバーの全ての水平回動位置で全閉可能な従来の湯水混合栓と異なり、使用開始時や使用中に無意識に無駄な湯を浪費することが無く、省エネが図れる。
（２）全閉可能な水平回動位置が限定されていることにより意識的な全閉操作となるので、無意識のレバー操作不十分による漏水放置の恐れが無く、無駄な湯水を浪費しない。これによって、夜間電力使用の温水タンク等の温水を浪費する恐れも無くなる。
（３）家庭用湯水混合栓等において、全閉可能対向部が水のみ吐出する水平回動位置に限定されれば、全閉はこの水平回動位置に限定され、使用開始時に無駄な湯を浪費することを強制的に排除出来る。また、湯のみ及び高温混合水を吐出する水平回動位置に全閉阻止用対向部が備えられれば、この水平回動位置では全閉不可能となり、使用開始時にいきなり熱湯や高温の混合水が吐出されることによる火傷の危険が無い。
業務用湯水混合栓や浴槽用湯水混合栓においては、全閉可能な水平回動位置が水のみ吐出する水平回動位置と多用される湯水混合比の水平回動位置とに限定されれば、シングルレバーの操作が簡単・確実になる。
（４）全閉阻止用対向部が備えられた閉側対向部用部材が、湯水混合栓本体に上下動可能に装着されれば、下限吐出量（節水モードの吐出量）の変更が簡単に出来、水平回動可能に装着されれば全閉不可能な水平回動位置の変更が簡単に出来る。
（５）全閉阻止用対向部と全閉可能対向部とが備えられた閉側対向部用部材が、湯水混合栓本体に上下動可能に装着されれば、下限吐出量の変更が一括して出来る。水平回動可能に装着されれば、所望の湯水混合比での吐出・閉止が簡単に出来る。
（６）固定弁体の水流入弁口・湯流入弁口や可動弁体の湯水調節弁口の形状に制限が少ないので、弁口面積が確保し易くなり、十分な流量が得られる。
また、シングルレバーの湯水混合比調節の水平角度範囲を、従来通り確保出来るので、湯水混合比が調節し易い。
更に、固定弁体の水流入弁口と湯流入弁口の開口面積・位置についてバランスをとることが出来るので、可動弁体に閉止状態で偏った押圧力が作用せず、摺動摩耗不均一による摺動部水密不良や、水密パッキンの漏水等の不具合が発生しない。
【００１４】
第五の発明によれば、下記の効果がある。
（１）全閉阻止用対向部が設けられ下限吐出量が設定されている水平回動位置であっても、シングルレバーを全閉可能な上下回動位置に手で保持することが出来るので、保持中は全閉出来る。また、手を放せば下限吐出量（節水モードの吐出量）を自動的に吐出するので、濯ぎ洗い等の場合の少量吐出量の設定が不要で、湯水の消費量も必要最小限になる。
（２）弾性により進退動する当接部としてボールプランジャーが使用されれば、ボールプランジャーの球体の滑動と出入りにより、当接状態でもシングルレバーを水平回動し易い。
ローラプランジャーも同様である。
（３）ボールプランジャーの球体等の進退動する当接部位によるクリック感を発生させるための凸部又は凹部を、球体等が滑動する閉側対向部に設ければ、湯水混合比の目安が付き易い。進退動しない当接部位の場合も、シングルレバーの僅かな上下回動が必要であるが、同様である。
【００１５】
第六の発明によれば、閉側当接部の突出長の調節によって下限吐出量（節水モードの吐出量）を所望の吐出量に簡単に調節出来る。これにより、シングルレバーを閉方向に操作すれば、所望吐出量が吐出されるので、シングルレバー式湯水混合栓の最大の欠点である少吐出量の調節のし難さを改善出来る。
【００１６】
第七の発明によれば、下限吐出量（節水モードの吐出量）に加え、モード切替操作無で上限吐出量での使用も簡単に出来る。これにより、下限吐出量、下限吐出量と上限吐出量との間の適量範囲、上限吐出量での使い分けが簡単に出来る。また、一時的であるが全開操作も出来る。
【００１７】
第八の発明によれば、上限吐出量の調節が簡単に出来、上限吐出量と下限吐出量とで設定された狭い適量範囲にも対応出来るので、所望吐出量の繰り返し使用がし易い。
【図面の簡単な説明】
【００１８】
【図１−１】実施例１の説明図――水平回動位置H１での全閉状態の垂直断面図
【図１−２】実施例１の説明図――水平回動位置H４での垂直断面図
【図１−３】実施例１の説明図――図１−１のA−A’ 垂直断面図
【図２−１】実施例１〜３の説明図――図１−１のB−B’ 水平断面図
【図２−２】実施例１〜３の説明図――水平回動位置H１で全開状態の弁体位置関係図
【図３−１】実施例１〜３の説明図――水平回動位置H２で全閉状態の弁体位置関係図
【図３−２】実施例１〜３の説明図――水平回動位置H２で全開状態の弁体位置関係図
【図４−１】実施例１〜３の説明図――水平回動位置H４で節水状態の弁体位置関係図
【図４−２】実施例１〜３の説明図――水平回動位置H２で節水状態の弁体位置関係図
【図５−１】実施例２の説明図――水平回動位置H１で全閉状態の垂直断面図
【図５−２】実施例２の説明図――水平回動位置H４で節水状態の垂直断面図
【図６】実施例３の説明図――水平回動位置H１で全閉状態の垂直断面図
【図７】実施例４の説明図――水平回動位置H２で節水状態の垂直部分断面図
【図８−１】実施例４の説明図――水平回動位置H１で全閉状態の弁体位置関係図
【図８−２】実施例４の説明図――水平回動位置H２で節水状態の弁体位置関係図
【図９】実施例５の説明図――水平回動位置H２で節水状態の垂直部分断面図
【図１０−１】実施例５の説明図――水平回動位置H１で全閉状態の弁体位置関係図
【図１０−２】実施例５の説明図――水平回動位置H２で節水状態の弁体位置関係図
【発明を実施するための形態】
【実施例１】
【００１９】
本発明に係る実施例として、図１−１〜３、図２−１〜２、図３−１〜２、図４−１〜２に示す垂直取付型の節水モード付シングルレバー式湯水混合栓を以下に記載する。
本湯水混合栓のシングルレバーの湯水混合比調節の水平回動範囲は、図２−１に示す様に左右各６０度計１２０度で、節水モードの水平回動範囲は、図４−１に示す様に左６０度右５０度計１１０度である。本湯水混合栓の節水モードは、シングルレバーの開方向の操作を制限して最大吐出量を制限する方式ではなく、シングルレバーの閉方向の操作を制限して最少吐出量を制限する方式である。
【００２０】
本実施例のシングルレバー式湯水混合栓は、補修部品交換を容易にするため、内部部品がカートリッジによってユニット交換可能にされており、また、湯水混合栓本体は、湯水混合栓本体ケース１と、湯水混合栓本体ケース１に螺合装着されるカートリッジホルダー２と、カートリッジホルダー２で湯水混合栓本体ケース１に固定されるカートリッジケース３とで構成されている。
本実施例のシングルレバー式湯水混合栓は、主要な構成部品として
湯水混合栓本体ケース１と、カートリッジホルダー２と、カートリッジケース３と、カートリッジケース３の内側に水平回動可能に装着される水平回動ホルダー４と、水平回動ホルダー４に水平に固定された回動軸５と、回動軸５を軸心に上下回動する作動体６と、作動体６の閉方向側の側面に装着されたボールプランジャー７と、作動体６の上部に固定されたシングルレバー８と、作動体６によって水平回動・前後進される可動弁体９と、水平回動ホルダー４の下面に設けられその下面を可動弁体９が摺動する摺動リング１０と、カートリッジケース３の内部に固定され上面を可動弁体９が摺動する固定弁体１１と、固定弁体１１と湯水混合栓本体ケース１との間を水密するとともに給水経路及び給湯経路を連通させる連通パッキン１２とが設けられている。
これ等主要部品の内、カートリッジホルダー２と、カートリッジケース３と、水平回動ホルダー４と、回動軸５と、作動体６と、ボールプランジャー７と、可動弁体９と、摺動リング１０と、固定弁体１１と、水密連通パッキン１２とは、付属部品とともに交換用カートリッジとしてユニット化されている。
なお、本実施例において、水平回動とは湯水混合栓本体の中心軸を軸心とする水平回動を、上下回動とは湯水混合栓本体の中心軸と直交する回動軸を軸心とする上下回動を意味する。
【００２１】
以下に、前記主要構成部品とこれに付属する部品について記載する。
湯水混合栓本体ケース１は、シングルレバー式湯水混合栓の本体部であり、洗面台等の取付箇所に底面で垂直取付される。湯水混合栓本体ケース１には、底面側に水流入部１aと湯流入部１bとが、側面に湯水混合水が吐出される吐出部である吐出ノズル１cが、内側にカートリッジホルダー２が螺合装着されるネジ部１dと湯水混合水が吐出ノズル１aへ流入出来るリング状凹部１eとが備えられている。
カートリッジホルダー２は、交換用カートリッジを湯水混合栓本体ケース１に一括装着するための部品であり、螺合装着用のネジ部２aと、水密用パッキン１６が装着されるリング状凹部２bとが備えられている。水密用パッキン１６は、カートリッジホルダー２と湯水混合栓本体ケース１との間、及び、カートリッジホルダー２とカートリッジケース３との間を水密する。
カートリッジケース３は、交換用カートリッジのケース部であり、上部筒状部３aと下部筒状部３bとで構成される。
上部筒状部３aには、円錐状テーパー部３cと半球状凹部３dと円弧状切欠部３eとが備えられている。円錐状テーパー部３cは、上部筒状部３aの内側面上部に備えられ、作動体６の閉方向側の側面( 閉操作時に前進面となる側面) が対向する範囲は閉側対向部となり、開方向側の側面( 開操作時に前進面となる側面)が対向する範囲は開側対向部となる。閉側対向部の内、突出状態のボールプランジャー７の鋼球７aが当接する範囲は、全閉阻止用対向部となる。ただし、鋼球７aが押し込まれボールプランジャー７のケース前面が当接した場合は、一時的に全閉出来る。半球状凹部３dは、ボールプランジャー７の鋼球７aが陥入する全閉可能対向部であり、上部筒状部３aの内側面上部の水のみが吐出される吐水用水平回動位置H１に備えられている( 即ち、形状的には、円錐状テーパー部３cの吐水用水平回動位置H１の位置に備えられる) 。従って、吐水用水平回動位置H１では、ボールプランジャー７の反力によるシングルレバー８の開方向への回動は無く、全閉位置を保持する。円弧状切欠部３eは、水平回動ホルダー４に装着されたストッパー１３とで水平回動ホルダー４の水平回動範囲を制限するための切欠部であり、上部筒状部３aの上端部に備えられている。
下部筒状部３bには、湯水混合水が混合栓本体１のリング状凹部１cに流入出来る側面開口部３fが備えられている。
【００２２】
水平回動ホルダー４は、水平・上下回動関連部品を一括して水平回動させる筒状のケース部であり、筒状部４aとフランジ部４bとで構成される。
筒状部４aには、作動体６の上下回動による干渉を回避する切欠部４cとOリング２３が装着されるリング状凹部４dとが備えられている。また、内側に回動軸５が、外側にストッパー１３とOリング２３とが装着されている。ストッパー１３は、水平回動範囲を制限するピンであり、Oリング２３は、カートリッジケース３との間を摺動可能に水密する。
フランジ部４bの下面には、摺動リング１０と水密・押圧兼用のOリング１７とが装着されるリング状凹部４eが備えられている。
回動軸５は、作動体６が上下回動する軸であり、水平回動ホルダー４の筒状部４aに水平に固定され、作動体６が装着される。作動体６の両側に位置決め用のスペーサーリング１４も装着されている。
作動体６は、可動弁体９を水平回動・前後進させる略矩形状の部材であり、回動軸５に上下回動可能に装着されている。作動体６には、上部に方形頭部６aが、下部に突起部６bが備えられている。方形頭部６aには、シングルレバー８が固定される。突起部６bは、可動弁体９を水平回動・前後進させることが出来る連結部で、先端が半円状の突起部である。                また、作動体６の閉方向側の側面６cには、ボールプランジャー７が圧入されている。
ボールプランジャー７は、全閉阻止用対向部となるカートリッジケース３の円錐状テーパー部３cに当接する弾性により進退動する閉側当接部であり、プレスセットタイプの市販ボールプランジャーである。ボールプランジャー７の鋼球７aが、カートリッジケース３の円錐状テーパー部３cに当接すれば、ボールプランジャー７の反力により作動体６を開方向に回動させる。ボールプランジャー７のストロークは、ボールプランジャー７のケース前端面がカートリッジケース３の円錐状テーパー部３cに当接する迄に、全閉可能なストロークとする。
シングルレバー８は、湯水混合栓の手動操作部であり、操作レバー部８aと湯水混合栓本体ケース１を覆うカバー部８bとで構成される。カバー部８bには、作動体６の方形頭部６aが固定される方形凹部８cが備えられている。
【００２３】
可動弁体９は、湯水混合比と吐出量とを調節するセラミック製の円盤状部材であり、摺動リング１０と固定弁体１１とに挟持された状態で摺動する。可動弁体９には、連結用凹部９aと湯水調節弁口９bとが備えられている。
連結用凹部９aは、中央に備えられた半円筒状底面の方形凹部であり、Uパッキン１５が装着された後に作動体６の突起部６bが挿入され、作動体６との連結部になる。Uパッキン１５は、作動体６の突起部６bが上下回動され可動弁体９が前後進するときの緩衝用パッキンである。連結用凹部９aのUパッキン１５が装着されていない側面は、作動体６の突起部６bとの対向面になる。
湯水調節弁口９bは、閉操作時に前進面となる閉方向側の側面９cの下部に備えられた円弧状の切欠き部であり、可動弁体９が水平回動・前後進したときに、固定弁体１１の水流入弁口１１aと湯流入弁口１１bとの連通開口面積を変化させて湯水混合比と吐出量とを調節する。湯水混合水は、湯水調節弁口９bからカートリッジケース３の側面開口部３fを経由して湯水混合栓本体ケース１のリング状凹部１eに流入する。
摺動リング１０は、水平回動ホルダー４と可動弁体９との間の水密摺動用部材であり、水密押圧用のOリング１７とともに水平回動ホルダー４のリング状凹部４eに装着されている。
固定弁体１１は、上面を可動弁体９が摺動するセラミック製の円盤状部材であり、円弧状の水流入弁口１１aと湯流入弁口１１bとが備えられている。図２−２に示す様に、水流入弁口１１aには、全開状態でも水が流出しない開口部分があるが、この開口部分は、全閉状態で可動弁体９に不均等な押圧力が加えられるのを避けるために備えられている。湯流入弁口１１bも同様である。
水密連通パッキン１２は、固定弁体１１と湯水混合栓本体ケース１との間を水密するパッキンであり、水流入口１２aと湯流入口１２bとが備えられている。水流入口１２aは、湯水混合栓本体ケース１の水流入部１aと固定弁体１１の水流入弁口１１aを接続し、湯流入口１２bは、湯水混合栓本体ケース１の湯流入部１bと固定弁体１１の湯流入弁口１１bを接続している。
【００２４】
なお、水密用パッキン１６が装着されたカートリッジホルダー２、カートリッジケース３、Oリング２２とストッパー１３とOリング１７と摺動リング１０とが装着された水平回動ホルダー４、スペーサーリング１４が装着された回動軸５、ボールプランジャー７が圧入された作動体６、Uパッキン１５が装着された可動弁体８、固定弁体１１、水密連通パッキン１２は、組立済のメンテナンス用ユニットとして別売することが出来る。
【００２５】
以下に、本湯水混合栓の使用方法について記載する。
（１）使用開始前の全閉状態
図２−１に示す様に、シングルレバー８の水平回動位置は、可動弁体９が全開位置にあるときに水のみを吐出する最右端の吐水用水平回動位置H１である。また、図１−１に示す様に、上下回動位置は、全閉位置となる下端位置である。
この状態では、ボールプランジャー７の鋼球７a はカートリッジケース３の半球状凹部３dに陥入しているので、ボールプランジャー７の反力が作用せず、全閉操作後に手を放してもシングルレバー８が上方に回動されず、全閉状態を保持する。このとき、可動弁体９は、図２−１に示す様に、固定弁体１１の水流入弁口１１aと湯流入弁口１１bとを閉鎖している。
（２）水のみの吐出操作
( 1 ) 項に示す全閉状態から、シングルレバー８の水平回動操作をせず上方向に回動操作をすれば、図２−２に示す様に、可動弁体９の湯水調節弁口９bは固定弁体１１の湯流入弁口１１bと連通せずに水流入弁口１１aと連通し全開状態となる。従って、吐水用水平回動位置H１での上下回動操作は、水のみの吐出量調節となり、無意識に湯を浪費することが無い。図２−２は、吐水用水平回動位置H１での全開状態の可動弁体９と固定弁体１１の位置関係を示す。
（３）節水モード操作
図１−２に示す様にカートリッジケース３の円錐状テーパー部３cとボールプランジャー７の突出状態の鋼球７aとが当接することによって、図４−１〜２に示す様に可動弁体９の湯水調節弁口９bが固定弁体１１の水流入弁口１１a又は湯流入弁口１１bとわずかに連通している状態の吐出量を、節水モードの吐出量( 下限吐出量) とする。
( 1 ) 項に示す全閉状態から、シングルレバー８の上下回動操作をせず時計方向に水平回動操作をすれば、図１−２に示す様にボールプランジャー７の鋼球７aが半球状凹部３dを離脱し円錐状テーパー部３cに当接するので、ボールプランジャー７の反力によりシングルレバー８は上方に回動され、節水モードの吐出量の湯水混合水が吐出される。この鋼球７aが半球状凹部３dを離脱する水平回動位置を、図４−１に示すモード切替水平回動位置H４とすれば、モード切替水平回動位置H４よりも時計方向側では、節水モード操作が可能となる。
即ち、節水モード操作が可能な水平回動範囲では、シングルレバー８を下方に回動し下端位置で保持すれば全閉出来、手を放して保持を解除すればボールプランジャー７の反力により節水モードに復帰し、節水モードの吐出量の湯水混合水が自動的に吐出される。節水モードの吐出量よりも大流量を必要とするときは、シングルレバー８を上方に回動して流量を調節する。
図４−１は、モード切替水平回動位置H４において、水のみが吐出される場合の可動弁体９と固定弁体１１の位置関係を示す。
図４−２は、湯水混合比が等比の均等混合用水平回動位置H２における節水モードの可動弁体９と固定弁体１１の位置関係を示す。
（４）湯水混合比・吐出量の調節
従来のシングルレバー式湯水混合栓と同様にシングルレバー８の水平回動で湯水混合比を、上下回動で吐出量を調節する。
図３−１は、湯水混合比が等比の均等混合用水平回動位置H２における全閉状態の可動弁体９と固定弁体１１の位置関係を示す。この状態は、シングルレバー８が下方に回動され下端位置で保持された状態であり、手を放して保持を解除すれば、図４−２に示す節水モードの状態になる。
図３−２は、均等混合用水平回動位置H２における全開状態の可動弁体９と固定弁体１１の位置関係を示す。この状態では、シングルレバー８の上下回動位置は全開位置である上方端にあり、ボールプランジャー７の鋼球７aがカートリッジケース３の円錐状テーパー部３cから離れているので、ボールプランジャー７の反力は働かない。
（５）使用後の全閉操作
湯水混合栓を全閉状態で保持するために、シングルレバー８の水平・上下回動位置を( 1 ) 項に示す状態に戻す。
【００２６】
本実施例において、半球状凹部３dと同じ半球状凹部を、カートリッジケース３の上側筒状部３aの内側面上部（形状的には円錐状テーパー部３cの閉側対向部の範囲）の多用される湯水混合比の位置に追加して設ければ、この湯水混合比での全閉が出来るので、吐水用水平回動位置H１に戻す必要が無く、レバー操作が簡単になる。
また、円錐状テーパー部３cの閉側対向部の範囲に、ボールプランジャー７の鋼球７aによるクリック感を発生させるための凸部又は凹部を適宜に設ければ、湯水混合比の目安を付け易くすることも出来る。
【００２７】
ボールプランジャー７に替えて、弾性によって進退動する閉側当接部として、可動側端部に半球状凸部が成型されボールプランジャー７のストローク以上の撓み量を持つ板バネを、作動体６の閉方向側の側面６cに設けても良い。
また、同様に、弾性によって進退動しない閉側当接部として、ボールローラー又は単なる半球状凸部に替えても良いが、この場合は半球状凹部３dが設けられた吐水用水平回動位置H1でのみ全閉可能となる。
【００２８】
さらに、カートリッジケース３を設けず、カートリッジホルダー２によって水平回動ホルダー４を湯水混合栓本体ケース１に水平回動可能に保持することも出来る。このときは、湯水混合栓本体は、湯水混合栓本体ケース１とカートリッジホルダー２とで構成され、カートリッジケース３の円錐状テーパー部３cと半球状凹部３dと円弧状切欠部３eとは湯水混合栓本体ケース１に備えられる。
【実施例２】
【００２９】
本実施例は、図５−１〜２、図２−１〜２、図３−１〜２、図４−１〜２に示す様に、実施例１を基本構成に、全閉阻止用対向部となるカートリッジケース３の円錐状テーパー部３cに替えて、水平回動可能な全閉阻止用対向部となる円錐状テーパー部１９aを備えたキャップ１９が設けられ、閉側当接部の当接部位となるボールプランジャー７の鋼球７aの突出長を調節するアジャストボルト１８がシングルレバー８のカバー部８aに追加されることによって、全閉可能な水平回動位置の変更と全閉出来ない水平回動範囲( 節水モード範囲) における節水モードの吐出量( 下限吐出量) の調節とが可能な構成に一部変更した点に特徴があり、他の構成は実施例１と同様である。
【００３０】
実施例１からの変更点を、下記に記載する。
カートリッジケース３は、円錐状テーパー部３cと半球状凹部３dとが備えられていない。
作動体６は、ボールプランジャー７が装着されていない。
ボールプランジャー７は、アジャストボルト１８の先端部に圧入されており、突出長が調節可能な弾性によって進退動する閉側当接部となる。
アジャストボルト１８は、ボールプランジャー７を前後進させ、閉側当接部の当接部位となる鋼球７aの突出長を変えて下限吐出量を調節するボルトである。アジャストボルト１８は、シングルレバー８のカバー部８aを貫通して、作動体６と平行に閉方向側に設けられた螺合装着部８dに装着される。本実施例におけるシングルレバー８の閉方向側の側面は、カバー部８aの閉操作時に前進する側の下側側面８eとなる。
キャップ１９は、円錐状テーパー部１９aと半球状凹部１９bとが上面に備えられた円筒状の穴付きキャップであり、湯水混合栓本体ケース１の上端部に水平回動可能に装着され、所望の水平回動位置で固定ネジ２０により固定される。
円錐状テーパー部１９aは、カートリッジケース３の円錐状テーパー部３cに替るテーパー部であり、シングルレバー８の閉方向側の下側側面８eが対向する範囲は閉側対向部となる。閉側対向部の内、突出状態のボールプランジャー７の鋼球７aが当接する範囲は、全閉阻止用対向部となる。ただし、鋼球７aが押し込まれボールプランジャー７のケース前面が当接した場合は、一時的に全閉出来る。
半球状凹部１９bは、ボールプランジャー７の鋼球７aが陥入する全閉可能対向部であり、形状的には、円錐状テーパー部１９ｂの吐水用水平回動位置H１の位置に備えられる。従って、吐水用水平回動位置H１では、ボールプランジャー７の反力によるシングルレバー８の開方向への回動は無く、全閉位置を保持する。
水平回動ホルダー４は、作動体６に設けられていたボールプランジャー７の装着部との干渉を回避する切欠部４cが不要となる。
その他の構成は、実施例１と同様である。
【００３１】
以下に、本湯水混合栓の使用方法について記載する。
（１）使用開始前の全閉状態
予め、キャップ１９は半球状凹部１９bの位置が吐水用水平回動位置H１に設定された状態で湯水混合栓本ケース１に固定されており、  ボールプランジャー７は鋼球７aがキャップ１９の円錐状テーパー部１９aに当接したときに所定の節水モードの吐出量( 下限吐出量) となる様にアジャストボルト１８で突出長が調節されている。
シングルレバー８の水平回動位置は、図２−１に示す様に吐水用水平回動位置H１であり、上下回動位置は、図５−１に示す様に全閉位置となる下端位置である。図５−１は、吐水用水平回動位置H１における垂直断面図である。本図では、ボールプランジャー７の鋼球７aが、円錐テーパー部１９a及び半球状凹部１９bの何れにも当接していないが、可動弁体９の閉止方向側の側面９cがカートリッジケース３の内側面に当接している。
（２）水のみの吐出操作
実施例１と同様に、( 1 ) 項に示す全閉状態からシングルレバー８の水平回動操作をせず、上下回動操作をすれば、水のみの吐出量調節となり、無意識に湯を浪費しない。
（３）節水モード操作
実施例１と同様に、( 1 ) 項に示す全閉状態から、シングルレバー８の上下回動操作をせず図４−１に示すモード切替水平回動位置H４よりも時計方向に水平回動操作をすれば、図５−２に示す様に、ボールプランジャー７の鋼球７aはキャップ１９の半球状凹部１９b から離脱し、円錐状テーパー部１９aに当接するので、ボールプランジャー７の反力によりシングルレバー８は上方に回動され、節水モードの吐出量の湯水混合水が吐出される。
なお、実施例１と同様に、何れの節水モードの水平回動範囲でも、シングルレバー８を下方に回動し下端位置で保持すれば全閉出来、手を放して保持を解除すれば、ボールプランジャー７の反力により節水モードに復帰し、節水モードの吐出量の湯水混合水が自動的に吐出される。節水モードの吐出量よりも大流量を必要とするときも実施例１と同様に、シングルレバー８を上方に回動して調節する。
（４）湯水混合比・吐出量の調節
実施例１と同様に、シングルレバー８の水平回動で湯水混合比を、上下回動で吐出量を調節する。
（５）節水モードの吐出量( 下限吐出量) の調節
アジャストボルト１８を螺合により上下動させてボールプランジャー７の鋼球７aの突出状態の上下位置を調節すれば、ボールプランジャー７の反力によるシングルレバー８の上下回動位置が変化し、作動体６を介して可動弁体９の位置が変化して、節水モードの吐出量（下限吐出量）が調節される。
（６）全閉位置の変更
キャップ１９を水平回動して、半球状凹部１９bの位置を所望の湯水混合比の水平回動位置に設定した後に、キャップ１９を固定ネジ２０で湯水混合栓本体１に固定すれば、所望混合比での全閉が出来、シングルレバー８の操作が簡単になる。
（７）使用後の全閉操作
実施例１と同様に、湯水混合栓を全閉状態で保持するために、シングルレバー８の水平・上下回動位置を( 1 ) 項に示す状態に戻す。
全閉位置が変更されている場合は、水平回動位置を全閉位置に合わせる.
【００３２】
本実施例では、キャップ１９の上下動によっても、節水モードの吐出量( 下限吐出量) は調節可能である。
また、キャップ１９に替えて、キャップ１９を半径方向に分割した複数の扇状分割体を、湯水混合栓本体ケース１に水平回動可能に装着すれば、全閉可能位置の変更だけでなく、全閉可能範囲の変更が簡単になる。扇状分割体は、図５−１において二点鎖線で示す様に、湯水混合栓本体ケース１の外側面に設けたリング状凹部１fに挿入され、固定ネジ２０で固定される。
【実施例３】
【００３３】
本実施例は、図６、図２−１〜２、図３−１〜２、図４−１〜２に示す様に、実施例２を基本構成に、上限吐出量調節用のアジャストボルト２１と開側当接部のボールプランジャー２２とを追加して、上限吐出量の調節も可能にした点に特徴があり、他の構成は実施例２と同様である。
【００３４】
ボールプランジャー２２は、アジャストボルト２１の先端部に圧入されており、鋼球２２aは突出長が調節可能な弾性によって進退動する開側当接部となる。
アジャストボルト２１は、ボールプランジャー２２を前後進させ開側当接部の突出長を調節して上限吐出量を調節するボルトである。アジャストボルト２１は、シングルレバー８のカバー部８aを貫通して、作動体６と平行に開方向側に設けられた螺合装着部８fに装着される。本実施例におけるシングルレバー８の閉止方向側の側面は、カバー部８aの閉止操作時に前進する側の下側測面８eとなり、シングルレバー８の開方向側の側面は、カバー部８aの開操作時に前進する側の下側測面８gとなる。
また、本実施例におけるキャップ１９の円錐テーパー部１９aは、ボールプランジャー２２に対向する範囲が開側対向部となり、開側対向部にはボールプランジャー２２の鋼球２２aが陥入する半球状凹部が備えられていないので、開側対向部の全範囲がボールプランジャー２２の鋼球２２aが当接する全開阻止用対向部となる。ただし、鋼球２２aが押し込まれボールプランジャー２２のケース前面が当接した場合は、一時的に全開出来る。
その他の構成は、実施例２と同様である。
【００３５】
以下に、本湯水混合栓の使用方法について記載する。
（１）使用開始前の全閉状態
予め、キャップ１９は半球状凹部１９bの位置が吐水用水平回動位置H１に設定された状態で湯水混合栓本ケース１に固定されており、  ボールプランジャー７は鋼球７aがキャップ１９の円錐状テーパー部１９aに当接したときに所定の節水モードの吐出量( 下限吐出量) となる様にアジャストボルト１８で突出長が調節されている。
また、ボールプランジャー２２は、鋼球２２aがキャップ１９の円錐テーパー部１９aに当接したときに希望の上限吐出量となる様にアジャストボルト２１で調節されている。
シングルレバー８の水平回動位置は、図２−１に示す様に吐水用水平回動位置H１であり、上下回動位置は、図６に示す様に全閉位置となる下端位置である。
図６は、吐水用水平回動位置H１における垂直断面図である。
（２）水のみの吐出操作
実施例２と同様である。
（３）節水モード操作
実施例２と同様である。
（４）湯水混合比・吐出量の調節
上限吐出量より大流量を吐出するにはシングルレバー８を手で保持する必要があること以外は、実施例２と同様である。
（５）節水モードの吐出量( 下限吐出量) の調節
実施例２と同様である。
（６）上限吐出量の調節
アジャストボルト２１を螺合により上下動させてボールプランジャー２２の鋼球２２aの上下位置を変えれば、ボールプランジャー２２の反力によるシングルレバー８の上下回動位置が変化し、作動体６を介して可動弁体９の位置が変化して、上限吐出量が調節される。
なお、キャップ１９の上下動によっても調節可能であるが、下限吐出量も同時に変化する。
（７）全閉位置の変更
実施例２と同様である。
（８）使用後の全閉操作
実施例１と同様に、湯水混合栓を全閉状態で保持するために、シングルレバー８の水平・上下回動位置を( 1 ) 項に示す状態に戻す。
【実施例４】
【００３６】
本実施例は、図７、図８−１〜２に示す様に、実施例１を基本構成に、ボールプランジャー７に替えて可動弁体９の閉方向側の側面９cが閉側当接部となり、カートリッジケース３の円錐状テーパー部３cに替えて、全閉阻止用対向部となる円弧状厚肉部２４aが備えられた筒状アダプター２４がカートリッジケース３の内側面下部に設けられる点に特徴があり、他の構成は実施例１と同様である。
【００３７】
実施例１からの変更点を、下記に記載する。
作動体６は、ボールプランジャー７が設けられていない。
カートリッジケース３は、上部筒状部３aに円錐状テーパー部３cと半球状凹部３dとが備えられず、下部筒状部３bの内側面下部に筒状アダプター２４が装着されるリング状段差部３gが設けられている。
筒状アダプター２４は、筒状の押出成型材の切断品であり、円弧状厚肉部２４aと円弧状薄肉部２４bとで構成され、側面には側面開口部２４cが備えられている。カートリッジケース３への装着は、作動体６等が装着された水平回動ホルダー４がカートリッジケース３に下方から挿入された後に、リング状段差部３gに挿入され、結合ピン２５で結合される。
円弧状厚肉部２４aは、可動弁体９の閉止方向側の側面９cに対する全閉阻止用対向部であり、吐水用水平回動位置H１の可動弁体９が時計方向に水平回動されたときに可動弁体９を節水モードの吐出量の位置に後退させるとともに、可動弁体９の閉止方向側の側面９cが当接しているときは節水モードの吐出量を設定する。円弧状厚肉部２４aは、モード切替水平回動位置H５から吐湯用水平回動位置H３の範囲に備えられる。
円弧状薄肉部２４bは、可動弁体９の閉止方向側の側面９cが当接する位置は全閉状態となる全閉可能対向部であり、開方向側の側面が当接する範囲は全開状態となる開側対向部となる。
側面開口部２４cは、カートリッジケース３の側面開口部３fと連通して、湯水混合水が流出する開口部である。
モード切替水平回動位置H５は、吐水用水平回動位置H１において円弧状薄肉部２４bに当接している可動弁体９の側面と円弧状厚肉部２４aの内側円弧曲面との交線を含む水平回動位置である。
水平回動ホルダー４は、作動体６のボールプランジャー７の装着部との干渉を回避する切欠部４cが不要となる。
固定弁体１１と水密連通パッキン１２は、筒状アダプター２４が新たに装着されることによる関係寸法の変更以外は、実施例1と同一である。
前記以外の構成部品は、実施例1と同一である。
【００３８】
以下に、本湯水混合栓の使用方法について記載する。
（１）使用開始前の全閉状態
シングルレバー８の水平回動位置・上下回動位置は、実施例１と同様であるが、図８−１に示す様に、全閉可能な水平回動位置は、吐水用水平回動位置H１に限定される。
（２）水のみの吐出開始操作
実施例１と同様である。
（３）節水モード操作
( 1 ) 項に示す全閉状態から、シングルレバー８の上下回動操作をせず軽く保持した状態で時計方向に水平回動操作をすれば、可動弁体９の閉方向側の側面９cが円弧状厚肉部２４aのモード切替水平回動位置H５のコーナーに当接することにより可動弁体９が後退され、モード切替水平回動位置H５よりも時計方向側では節水モードの吐出量（下限吐出量）の湯水混合水が吐出される。
ただし、実施例１〜２のボールプランジャー７と異なり可動弁体９の閉方向側の側面９cが固定の当接部であるため、モード切替水平回動位置H５よりも時計方向側では、全閉も節水モードの吐出量の調節も出来ない。
本実施例では、可動弁体９は、吐水用水平回動位置H１からモード切替水平回動位置H５へ水平回動される間に、閉止位置から微量吐出位置を経て下限吐出量の位置に後退する。同じく、シングルレバー８は、作動体６を介して上方に回動される。
図７は、均等混合水平回動位置H２における節水モード状態の垂直部分断面図を、図８−１は、吐水用水平回動位置H１における全閉状態の固定弁体１１と可動弁体９の位置関係を、図８−２は、均等混合水平回動位置H２における節水モード状態の固定弁体１１と可動弁体９の位置関係を示す。
（４）湯水混合比・吐出量の調節
実施例１と同様であるが、全閉可能な水平回動位置は、吐水用水平回動位置H１に限定される。
（５）使用後の全閉操作
実施例１と同様に、湯水混合栓を全閉状態で保持するために、シングルレバー８の水平・上下回動位置を( 1 ) 項に示す状態に戻す。
【実施例５】
【００３９】
本実施例は、図９、図１０−１〜２に示す様に、実施例１を基本構成に、ボールプランジャー７に替えて、リング状バネ線２６の可動端に設けられたローラー２８が弾性により進退動する閉側当接部となり、カートリッジケース３の下部筒状部３bの内側面が全閉阻止用対向部となる点に特徴があり、他の構成は実施例１と同様である。
【００４０】
実施例１からの変更点を、下記に記載する。
作動体６は、ボールプランジャー７が設けられていない。
カートリッジケース３は、上部筒状部３aに円錐状テーパー部３cと半球状凹部３dとが備えられていない。下部筒状部３bの内側面は、可動弁体９の閉側の側面が対向する閉側対向部のうち、ローラー２８が当接する範囲が全閉阻止用対向部となり、吐水用水平回動位置H１の位置に備えられたローラー２８が陥入する開口部３hが全閉可能対向部となる。
また、図９に示す様に、２カ所の側面開口部３fの内、閉方向側の側面開口部３fの高さは、ローラー２８が陥入しない高さに備えられ、開方向側の側面開口部３fの高さは、可動弁体９の外周部が陥入しない高さに備えられている。
可動弁体９は、リング状バネ線２６が装着される段差部９dが、外周部に新たに備えられている。
リング状バネ線２６は、弾性のあるステンレス線で成型されたバネであり、リング状部２６aとアーム部２６bと先端部２６cとで構成される。リング状部２６aは、両端が内側に曲げられているリング状の部分で、可動弁体９の段差部９dに装着され、自己の弾性力で保持される。アーム部２６bは、ローラー２８が押圧されたときに撓む変位部である。先端部２６cは、アーム部２６bの端部において上方に折り曲げられた部分であり、ローラー２８の回転軸２７が圧入される。
回転軸２７は、ローラー２８の下端面を支持するフランジが備えられた回転軸である。
ローラー２８は、回転軸２７を回転軸とするローラーで、カートリッジケース３の下部筒状部３bの内側面を全閉阻止用対向部として弾性によって進退動する閉側当接部となる。
前記以外の構成部品は、実施例１と同一である。
【００４１】
以下に、本湯水混合栓の使用方法について記載する。
（１）使用開始前の全閉状態
図１０−１に示す様にシングルレバー８の水平回動位置は吐水用水平回動位置H１であり、上下回動位置は実施例１と同様に全閉位置となる下端位置である。この状態では、ローラー２８はカートリッジケース３の開口部３hに陥入しているので、リング状バネ線２６の反力が作用せず、全閉操作後に手を放しても可動弁体９は全閉位置を保持し、シングルレバー８も上方に回動されない。
（２）水のみの吐出開始操作
実施例１と同様である。
（３）節水モード操作
( 1 ) 項に示す全閉状態から、図１０−１〜２に示す様に、シングルレバー８の上下回動操作をせず、モード切替水平回動位置H４よりも時計方向に水平回動操作をすれば、ローラー２８が開口部３hを離脱し下部筒状部３bの内側面に当接するので、リング状バネ線２６の反力により可動弁体９は後進しシングルレバー８は上方に回動され、節水モードの吐出量( 下限吐出量) の湯水混合水が吐出される。
図９は、均等混合水平回動位置H２における節水モード状態の垂直部分断面図を示す。
図１０−１は、吐水用水平回動位置H１における全閉状態の可動弁体９と固定弁体１１の位置関係を示す。
図１０−２は、均等混合水平回動位置H２における節水モード状態の可動弁体９と固定弁体１１の位置関係を示す。
なお、何れの節水モードの水平回動位置でも、シングルレバー８を下方に回動し下端位置で保持すれば全閉出来、手を放して保持を解除すればリング状バネ線２６の反力により節水モードに復帰し、節水モードの吐出量の湯水混合水が自動的に吐出される。節水モードの吐出量よりも大流量を必要とするときは、実施例１と同様に、シングルレバー８を上方に回動して流量を調節する。
（４）湯水混合比・吐出量の調節
従来のシングルレバー式湯水混合栓と同様にシングルレバー８の水平回動で湯水混合比（５）使用後の全閉操作
実施例１と同様に、湯水混合栓を全閉状態で保持するために、シングルレバー８の水平・上下回動位置を( 1 ) 項に示す状態に戻す。
【００４２】
実施例１〜５におけるシングルレバーの水平回動角度範囲・上下回動角度範囲・節水モード回動角度範囲、可動弁体の湯水調節弁口の形状、固定弁体の水流入弁口及び湯流入弁口の形状等は、一例であって、本発明は、これ等に限定されるものでは無い。同様に、水のみが吐出される水平回動位置を、水平回動位置の中央・両端等の複数位置に設けても良い。その他の部材の位置関係・形状についても同様である。
【符号の説明】
【００４３】
１  湯水混合栓本体ケース
１a  水流入部
１b  湯流入部
１c  吐出ノズル
１d  ネジ部
１e  リング状凹部
１f  リング状凹部
２  カートリッジホルダー
２a  ネジ部
２b  リング状凹部
３  カートリッジケース
３a  上部筒状部
３b  下部筒状部
３c  円錐状テーパー部
３d  半球状凹部
３e  円弧状切欠部
３f  側面開口部
３g  リング状段差部
３h  開口部( ローラー陥入用) 
４  水平回動ホルダー
４a  筒状部
４b  フランジ部
４c  切欠部
４d  リング状凹部( Oリング２２用) 
４e  リング状凹部( Oリング１７及び摺動リング１０用) 
５  回動軸
６  作動体
６a  方形頭部
６b  突起部
６c  閉方向側側面
７  ボールプランジャー
７a  鋼球
８  シングルレバー
８a  操作レバー部
８b  カバー部
８c  方形凹部
８d  螺合装着部
８e  下側側面( 閉方向側)  
８f  螺合装着部
８g  下側側面( 開方向側) 
９  可動弁体
９a  連結用凹部
９b  湯水調節弁口
９c  閉方向側側面
９d  段差部
１０  摺動リング
１１  固定弁体
１１a  水流入弁口
１１b  湯流入弁口
１２  水密連通パッキン
１２a  水流入口
１２b  湯流入口
１３  ストッパー
１４  スペーサーリング
１５  Uパッキン
１６  水密用パッキン
１７  Oリング
１８  アジャストボルト  
１９  キャップ
１９a  円錐テーパー部
１９b  半球状凹部
２０  固定ネジ
２１  アジャストボルト( 上限吐出量設定用) 
２２  ボールプランジャー( 上限吐出量設定用) 
２２a  鋼球
２３  Oリング
２４  筒状アダプター
２４a  円弧状厚肉部
２４b  円弧状薄肉部
２４c  側面開口部
２５  結合ピン
２６  リング状バネ線
２７  回転軸
２８  ローラー
H１  吐水用水平回動位置( 水のみ吐出位置) 
H２  均等混合用水平回動位置
H３  吐湯用水平回動位置
H４  モード切替水平回動位置( 実施例１、２、３、５) 
H５  モード切替水平回動位置( 実施例４) 
【図１−１】
2016113856.tif 000003
【図１−２】
2016113856.tif 000004
【図１−３】
2016113856.tif 000005
【図２−１】
2016113856.tif 000006
【図２−２】
2016113856.tif 000007
【図３−１】
2016113856.tif 000008
【図３−２】
2016113856.tif 000009
【図４−１】
2016113856.tif 000010
【図４−２】
2016113856.tif 000011
【図５−１】
2016113856.tif 000012
【図５−２】
2016113856.tif 000013
【図６】
2016113856.tif 000014
【図７】
2016113856.tif 000015
【図８−１】
2016113856.tif 000016
【図８−２】
2016113856.tif 000017
【図９】
2016113856.tif 000018
【図１０−１】
2016113856.tif 000019
【図１０−２】
2016113856.tif 000020